(57)【要約】【課題】発熱部品の発熱による発熱部品周辺に配設される制御部品の寿命の低下を防ぐ。【解決手段】仕切板により電動送風機室と制御室とを区画形成した掃除機本体３と、電動送風機室８内に収納される電動送風機７と、制御室９内に収納され、電動送風機７を制御する発熱部品を配設した制御基板と、仕切板に形成され、電動送風機７の排気を制御室９に導く開口２０とを備え、制御基板には、冷却用開口３５を形成すると共に、冷却用開口３５に対応する位置に制御基板との間に間隔を有して発熱部品を配設し、制御基板を、仕切板と略直交させて開口２０に臨ませ、制御室９内に、開口を介して制御基板に装着した発熱部品に向かって排気を導く主排気流路３３と、制御基板の他方の面側に排気を導く副排気流路３４とを形成し、副排気流路３４に導かれた排気を制御基板の冷却用開口３５を介して発熱部品に導くよう構成する。【選択図】図１
2011104267.tif 000002
【特許請求の範囲】
【請求項１】
仕切板により電動送風機室と制御室とを区画形成した掃除機本体と、前記電動送風機室内に収納される電動送風機と、前記制御室内に収納され、前記電動送風機を制御する発熱部品を含む制御部品を配設した制御基板と、前記仕切板に形成され、前記電動送風機の排気を前記制御室に導く開口と、前記掃除機本体に形成され、前記制御室に導かれた排気を外部に排気する排気口とを備え、
前記制御基板には、冷却用開口を形成すると共に、前記制御基板の一方の面側の冷却用開口に対応する位置に前記制御基板との間に間隔を有して前記発熱部品を配設し、
前記制御基板を、前記仕切板と略直交させて前記開口に臨ませ、かつ前記制御基板の他方の面と前記制御基板を取り付ける取付面との間に間隔を有して装着し、前記制御室内に、前記開口を介して前記制御基板の一方の面側に装着した発熱部品に向かって排気を導く主排気流路と、前記制御基板の他方の面と制御基板を取り付ける取付面との間に排気を導く副排気流路とを形成し、
前記副排気流路に導かれた排気を前記制御基板の冷却用開口を介して前記発熱部品に導くよう構成することを特徴とする電気掃除機。
【請求項２】
前記副排気流路に導かれた排気を前記冷却用開口に導く排気誘導リブを形成することを特徴とする請求項１記載の電気掃除機。
【請求項３】
前記発熱部品が抵抗器である請求項１記載の電気掃除機。
【請求項４】
前記抵抗器がセメント抵抗である請求項２記載の電気掃除機。
【発明の詳細な説明】
【技術分野】
【０００１】
本発明は、電気掃除機に関するものである。
【背景技術】
【０００２】
一般に電気掃除機は、使用場所や状況に応じて、強運転から弱運転まで電動送風機の回転数を制御できるように構成され、電動送風機の回転数を低下させるためにセメント抵抗等の抵抗部品が設けられている。抵抗部品等の発熱部品は、内部抵抗による発熱によって寿命が低下する。この熱による寿命低下を防止するために、発熱部品を冷却する必要があり、電動送風機の排気を発熱部品に導いて発熱部品の冷却を行うよう構成されている（特許文献１）。
【先行技術文献】
【特許文献】
【０００３】
【特許文献１】特開２００１−１９０４５９
【発明の概要】
【発明が解決しようとする課題】
【０００４】
制御基板には複数の発熱部品が配設される場合があり、複数の発熱部品を効率よく冷却するために、制御基板は、電動送風機の排気が制御基板に沿って流れるように排気流と略平行に配設される。
【０００５】
しかしながら、発熱部品は、一般に中央部分が最も温度が高く、例えばセメント抵抗のような大きな発熱部品では、中央部分を効率よく冷却することができないという問題があった。
【０００６】
本発明は、排気流に沿うように配設するだけでは、充分に冷却できないような発熱部品を効率よく冷却することができる電気掃除機を提供することを課題とするものである。
【課題を解決するための手段】
【０００７】
仕切板により電動送風機室と制御室とを区画形成した掃除機本体と、前記電動送風機室内に収納される電動送風機と、前記制御室内に収納され、前記電動送風機を制御する発熱部品を含む制御部品を配設した制御基板と、前記仕切板に形成され、前記電動送風機の排気を前記制御室に導く開口と、前記掃除機本体に形成され、前記制御室に導かれた排気を外部に排気する排気口とを備え、前記制御基板には、冷却用開口を形成すると共に、前記制御基板の一方の面側の冷却用開口に対応する位置に前記制御基板との間に間隔を有して前記発熱部品を配設し、前記制御基板を、前記仕切板と略直交させて前記開口に臨ませ、かつ前記制御基板の他方の面と前記制御基板を取り付ける取付面との間に間隔を有して装着し、前記制御室内に、前記開口を介して前記制御基板の一方の面側に装着した発熱部品に向かって排気を導く主排気流路と、前記制御基板の他方の面と制御基板を取り付ける取付面との間に排気を導く副排気流路とを形成し、前記副排気流路に導かれた排気を前記制御基板の冷却用開口を介して前記発熱部品に導くよう構成したことを特徴とする。
【０００８】
前記副排気流路に導かれた排気を前記冷却用開口に導く排気誘導リブを形成することが好ましい。
【０００９】
前記発熱部品が抵抗器であることが好ましい。
【００１０】
前記抵抗器がセメント抵抗であることが好ましい。
【発明の効果】
【００１１】
本発明によると、排気流を発熱部品に対して複数の方向から導くことにより、冷却効率を向上させることができ、発熱部品の温度上昇を低減して寿命低下を防止することができる等の効果を奏する。
【図面の簡単な説明】
【００１２】
【図１】本発明の実施形態における正面図である。
【図２】同掃除機本体の前方から見た分解斜視図である。
【図３】同の後方から見た分解斜視図である。
【図４】同側面の断面図である。
【図５】同区画ユニットの斜視図である。
【図６】同区画ユニットの断面図である。
【図７】同メイン制御基板の分解斜視図である。
【図８】同メイン制御基板の斜視図である。
【図９】同メイン制御基板の断面図である。
【図１０】同掃除機本体の分解斜視図である。
【図１１】同サブ制御基板の分解斜視図である。
【図１２】同取付部材の斜視図である。
【図１３】同操作つまみの斜視図である。
【発明を実施するための形態】
【００１３】
本発明の実施形態を、図１乃至図１３に示す縦型電気掃除機に基づいて以下に詳述する。
【００１４】
１は底面に吸込口を有する床用吸込具で、該吸込口に臨ませて回転ブラシが配設され、該回転ブラシを駆動するモータ（いずれも図示せず）が床用吸込具１内部に配設されている。前記床用吸込具１後方略中央部には、吸込パイプ２が前後方向及び左右方向に回動自在に接続されている。３は下部に前記吸込パイプ２が着脱自在に装着される掃除機本体で、やや前傾した状態で前記床用吸込具１上に直立保持されるようになっている。４は前記掃除機本体３後方上部に配設される操作ハンドルで、上下方向に伸縮自在に形成されている。
【００１５】
５は前記掃除機本体３下部に形成されるダストカップ収納部で、前記床用吸込具１から吸引した塵や埃を蓄積させるためのダストカップ６が着脱自在に収納されている。
【００１６】
前記掃除機本体３内には、電動送風機７を収納する電動送風機室８及び制御室９が形成され、該制御室９内は、後述する区画ユニット１４によって、メイン基板収納室１０と、サブ基板収納室１１と、バッテリー収納室１２との三つの収納室に区画される。
【００１７】
前記メイン基板収納室１０には後述するメイン制御基板２４、前記サブ基板収納室１１には後述するサブ制御基板３１、前記バッテリー収納室１２にはバッテリー１３がそれぞれ配設される。前記メイン制御基板１０とサブ制御基板１１によって、前記電動送風機７を制御する制御回路が構成され、該制御回路、電動送風機７及び回転ブラシ駆動用モータ(図示せず)の電源として前記バッテリー１３が使用される。
【００１８】
１４は前記制御室９内に配設される区画ユニットで、前記電動送風機室８と前記制御室９とを区画する下部仕切板１５と、前記制御室９上部に後述する切り換えスイッチ収納室３９を区画する上部仕切板１６と、前記メイン基板収納室１０とサブ基板収納室１１とを区画する第１区画板１７と、前記サブ基板収納室１１と前記バッテリー収納室１２を区画する第２区画板１８と、前記メイン基板収納室１０と前記バッテリー収納室１２とを区画する第３区画板１９とを有している。前記三つの収納室１０、１１、１２を区画する第１区画板１７、第２区画板１８及び第３区画板１９は、前記区画ユニット１４の中央部から外周方向に向かって放射状に形成されている。前記下部仕切板１５には、前記電動送風機室８と前記サブ基板収納室１１とを連通する開口２０が形成されている。
【００１９】
前記サブ基板収納室１１は、第２区画板１８から立設した区画リブ２１により区画形成され、該区画リブ２１を掃除機本体３内面に当接または近接させて、サブ基板収納室１１内に下部仕切板１５の開口２０から後述する排気口３６及び排気口３７への電動送風機７の排気の流路を形成している。２２は前記サブ基板収納室１１内に形成される排気誘導リブで、前記区画リブ２１と直交する方向に形成され、後述するサブ制御基板３１に当接する高さに形成されている。２３は前記第２区画板１８に形成される開口で、排気誘導リブ２２が形成された位置に対して開口２０と対向する位置に形成され、前記サブ基板収納室１１とバッテリー収納室１２とを連通している。
【００２０】
２４は前記メイン基板収納室１０に収納されるメイン制御基板で、前記制御回路部品の内、発熱部品である後述のセメント抵抗３２以外の部品が装着されている。２５は前記メイン制御基板２４にＬＥＤ２６を位置決め装着するための取付支持体で、前記メイン制御基板２４に形成した取付開口２７に差し込まれる脚部２８を有している。前記取付支持体２５は、プレス抜きにより形成され、脚部２８の付け根部分に略半円形状の切り欠き２９を形成して、前記取付支持体２５下端部がメイン制御基板２４に当接する所定位置に取り付けられるようになっている。前記取付支持体２５の脚部２８をメイン制御基板２４の取付開口２７に差し込んだ状態で、前記ＬＥＤ２６を取付支持体２５に跨らせて、ＬＥＤ２６の導線をメイン制御基板２４に半田付けし、ＬＥＤ２６と共に取付支持体２５をメイン制御基板２４に固定している。３０は前記掃除機本体３内面に形成されるＬＥＤ保持リブで、前記メイン制御基板２４がメイン基板収納室１０に収納された状態で、前記ＬＥＤ２６を固定し、前記取付支持体２５上端部を位置決めするようになっている。この構成により、前記取付支持体２５が所定の位置に取り付けられることで、前記ＬＥＤ２６を所定位置に確実に固定できる。
【００２１】
３１は前記サブ基板収納室１１に配設されるサブ制御基板で、一方の面に、一方の面との間に間隔を有して発熱部品であるセメント抵抗３２を装着し、他方の面と前記第２区画板１８との間に間隔を有して第２区画板１８に装着されている。前記サブ制御基板３１は、第２区画板１８への装着状態で、前記他方の面に排気誘導リブ２２先端が当接または近接している。前記サブ制御基板３１は、前記下部仕切板１５と略直交するように前記開口２０に臨ませて配設され、前記サブ制御基板３１の一方の面と掃除機本体３内面との間に主排気流路３３を形成すると共に、前記サブ制御基板３１の他方の面と第２区画板１８との間に副排気流路３４を形成している。前記サブ制御基板３１には、前記排気誘導リブ２２に対して前記下部仕切板１５の開口２０側に冷却用開口３５が形成され、前記セメント抵抗３２の略中央部が前記冷却用開口３５に対向するように配設されており、前記副排気流路３４に導かれた排気が前記排気誘導リブ２２により冷却用開口３５を介してセメント抵抗３２の略中央部に導かれるように構成している。
【００２２】
３６は前記掃除機本体３の前記サブ基板収納室１１に連通する位置に形成される排気口、３７は前記掃除機本体３の前記バッテリー収納室１２に連通する位置に形成される排気口で、排気流を外部へ排気するようになっている。
【００２３】
３８は前記掃除機本体３天面を構成し、前記上部仕切板１６とともに切り換えスイッチ収納室３９を区画形成する天板で、前記掃除機本体３を前記床用吸込具１上に直立保持した状態で、前方になるに従って下方になるように傾斜するように構成されており、前方側に後述する切り換えスイッチ４２の操作つまみ４７が臨む開口４０が形成されている。
【００２４】
４１は前記天板３８裏面に装着される取付部材で、該取付部材４１の横方向からスライドさせて切り換えスイッチ４２を取付部材４１の略中央部に仮止めするようになっており、前記取付部材４１を天板３８裏面に装着した状態で、天板３８裏面から垂下形成した図示しないリブを切り換えスイッチ４２に当接することにより切り換えスイッチ４２が取付部材４１から外れる方向に移動するのを阻止している。
【００２５】
前記取付部材４１には、切り換えスイッチ４２の操作桿４３が臨む切り欠き部４４が形成され、該切り欠き部４４を囲むように溝４５が形成され、前記取付部材４１は、天板３８裏面に固定された状態で前記溝４５の最も下方に位置する部分を切欠し、天板３８の開口４０から内部に入り込んで溝４５内に流れ落ちた液体を掃除機本体３内壁面に導く排水路を形成するようになっている。前記掃除機本体３内壁面に導かれた排水は、掃除機本体３内部の電機部品に接触することなく、自然に乾燥する。４６は前記取付部材４１を前記天板３８にネジ固定するためのネジ穴である。
【００２６】
４７は前記切り換えスイッチ４２の操作桿４３に装着されて切り換えスイッチ４２を操作する操作つまみで、前記天板３８裏面側から開口４０を覆う鍔部４８が形成されており、該鍔部４８には、前記天板３８裏面側に向かって下方に位置する辺を除き、上方に位置する辺と両側辺とにリブ４８を形成し、該リブ４８により前記天板３８の開口４０から操作つまみ４７の鍔部４８上に流れ落ちた液体を鍔部４８の下方側の辺から溝４５に導くように構成している。
【００２７】
而して、電動送風機７からサブ基板収納室１１に排気される排気流は、サブ制御基板３１により、主排気流路３３を流れる排気流と副排気流路３４を流れる排気流とに分けられる。主排気流路３３を流れる排気流は、セメント抵抗３２に沿って流れ、セメント抵抗３２を側面から冷却し、上部仕切板１６側へ流れる。副排気流路３４を流れる排気流は、排気誘導リブ２２により冷却用開口３５に導かれ、冷却用開口３５を介してセメント抵抗３２略中央部に導かれてセメント抵抗３２を冷却し、セメント抵抗３２とサブ制御基板３１の間等を通って、主排気流路３３を流れる排気流に合流する。一部の排気流は、サブ基板収納室１１上部に位置する排気口３６から排気され、残りの排気流は、第２区画板１８の開口２３を通って、バッテリー収納室１２に流入し、バッテリー１３を冷却後、バッテリー収納室１２に連通する排気口３７から排気される。
【００２８】
上記実施形態において、主排気流路３３及び副排気流路３４は、説明の便宜上、主排気流路あるいは副排気流路と称しているに過ぎず、特に排気の風速や、風量等の違いを意味するものではなく、排気風量等は必要に応じて適宜選択し得るものである。
【００２９】
尚、本発明を縦型電気掃除機の実施形態を用いて説明したが、キャニスター型電気掃除機などの電気掃除機に用いてもよい。
【００３０】
また、本実施形態では、比較的大きな電流に対応できる抵抗部品としてセメント抵抗を用いたが、その他の抵抗部品を用いてもよい。
【産業上の利用可能性】
【００３１】
電動送風機の排気流を利用して発熱部品の冷却を行う電気掃除機に広く利用可能である。
【符号の説明】
【００３２】
１    床用吸込具
２    吸込パイプ
３    掃除機本体
４    操作ハンドル
５    ダストカップ収納部
６    ダストカップ
７    電動送風機
８    電動送風機室
９    制御室
１０  メイン基板収納室
１１  サブ基板収納室
１２  バッテリー収納室
１３  バッテリー
１４  区画ユニット
１５  下部仕切板
１６  上部仕切板
１７  第１区画板
１８  第２区画板
１９  第３区画板
２０  開口
２１  区画リブ
２２  排気誘導リブ
２３  開口
２４  メイン制御基板
２５  取付支持体
２６  ＬＥＤ
２７  取付開口
２８  脚部
２９  切り欠き
３０  ＬＥＤ保持リブ
３１  サブ制御基板
３２  セメント抵抗
３３  主排気流路
３４  副排気流路
３５  冷却用開口
３６  排気口
３７  排気口
３８  天板
３９  切り換えスイッチ収納室
４０  開口
４１  取付部材
４２  切り換えスイッチ
４３  操作桿
４４  切り欠き部
４５  溝
４６  ネジ穴
４７  操作つまみ
４８  鍔部
【図１】
2011104267.tif 000003
【図２】
2011104267.tif 000004
【図３】
2011104267.tif 000005
【図４】
2011104267.tif 000006
【図５】
2011104267.tif 000007
【図６】
2011104267.tif 000008
【図７】
2011104267.tif 000009
【図８】
2011104267.tif 000010
【図９】
2011104267.tif 000011
【図１０】
2011104267.tif 000012
【図１１】
2011104267.tif 000013
【図１２】
2011104267.tif 000014
【図１３】
2011104267.tif 000015